(57)【要約】【課題】周囲と駆動速度の異なる応答異常欠陥をよりはっきり表示させ、その表示を撮像し、撮像画像内において局所的なムラとして含まれる応答異常欠陥を高精度に抽出するための電気泳動型前面板検査装置および検査方法を提供する。【解決手段】電気泳動型前面板検査装置において、前記撮像手段が、前記電気信号出力手段において、印加するパルス幅が表示材料の移動が飽和するパルス幅より十分に短いパルスを２回以上印加し、白表示から黒表示途中の遷移状態を表示保持した状態を撮像するものであることを特徴とする電気泳動型前面板検査装置を提供する。【選択図】  図６
2009236856.tif 000002
【特許請求の範囲】
【請求項１】
電気泳動型前面板の表示材料を駆動させる電気信号出力手段と、照明手段と、撮像画像を得る撮像手段と、前記撮像画像をディジタル化する画像ディジタル化手段と、前記画像入力手段によりディジタル化された画像を処理する画像処理手段と、前記画像処理手段に基づいて前記前面板の検査を行う演算処理手段と、前記撮像画像、前記画像処理手段による処理画像、前記演算処理手段による検査結果を出力するモニター表示手段と、を具備する電気泳動型前面板検査装置において、
前記撮像手段が、前記電気信号出力手段において、印加するパルス幅が表示材料の移動が飽和するパルス幅より十分に短いパルスを２回以上印加し、白表示から黒表示途中の遷移状態を表示保持した状態を撮像するものであることを特徴とする電気泳動型前面板検査装置。
【請求項２】
請求項１記載の画像処理手段が、注目画素から数ｍｍ〜数十ｍｍ離れた位置に存在し、かつこの注目画素を取り囲む複数の画素のうち、最大値と最小値を除いて前記複数の画素の輝度平均値を算出する処理を、全画素を順次注目画像として処理した画像を基準画像とし、前記基準画像と評価画像を差分演算することを特徴とする電気泳動型前面板検査装置。
【請求項３】
電気泳動型前面板が、基板、電極、表示材料、接着剤、導電性剥離フィルムからなることを特徴とする請求項１または２記載の電気泳動型前面板検査装置。
【請求項４】
電気信号出力手段が、電気泳動型前面板の電極に電気的に接触する第１のプローブ、導電性剥離フィルムに電気的に接触する第２のプローブ、前記第１及び第２のプローブを介して電極と導電性剥離フィルムとの間に、表示材料を駆動させる電圧を印加する電圧供給手段からなることを特徴とする請求項３記載の電気泳動型前面板検査装置。
【請求項５】
電気泳動型前面板の表示材料を照明しながら駆動させて撮像して撮像画像を得るとともに、前記撮像画像をディジタル化して処理画像を得るとともに、前記処理画像の検査を行い検査結果を得て、前記撮像画像と前記処理画像、前記検査結果モニター表示する電気泳動型前面板検査方法において、
前記撮像が印加するパルス幅が表示材料の移動が飽和するパルス幅より十分に短いパルスを２回以上印加し、白表示から黒表示途中の遷移状態を表示保持した状態を撮像するものであることを特徴とする電気泳動型前面板検査方法。
【請求項６】
請求項５記載の画像処理が、注目画素から数ｍｍ〜数十ｍｍ離れた位置に存在し、かつこの注目画素を取り囲む複数の画素のうち、最大値と最小値を除いて前記複数の画素の輝度平均値を算出する方法を、全画素を順次注目画像として行って基準画像とし、前記基準画像と評価画像を差分演算することを特徴とする電気泳動型前面板検査方法。
【発明の詳細な説明】
【背景技術】
【０００１】
本発明は電子ペーパーディスプレイの主要部品である電気泳動型前面板の電気泳動型前面板検査装置および検査方法に関する。
【０００２】
視認性が高く、書き換え可能で低消費電力といった特徴を持つ電子ペーパーディスプレイを実現するための技術として様々な方式の開発が進んでいる。電気泳動現象を利用したディスプレイは溶媒中の電荷を帯びた粒子が電界によって移動する現象を利用している。その中のひとつの技術としてマイクロカプセル型電気泳動方式が実用化されている。これは透明な液体が満たされたマイクロカプセル中に正、負に帯電した白い粒子と黒い粒子を入れ、外部電圧印加によってそれぞれの粒子を表示面に引き上げて画像を形成する。マイクロカプセルサイズはφ数十μｍ〜数百μｍと小さいので、このマイクロカプセルを透明なバインダーに分散させるとインクのように、コーティングすることができる。このインクは外部から電圧を印加することで画像を描くことができるので、電子インクと呼ばれる。透明電極層を形成した透明フィルムにこの電子インクをコーティングし、アクティブマトリクス駆動用の電極回路を形成した基板に貼り合わせるとアクティブマトリクスディスプレイパネルができる。ここで、透明電極を形成した透明フィルム上に電子インクをコーティングした部品を「前面板」と呼び、アクティブマトリクス駆動用の電極回路を形成した基板を「背面板」と呼んでいる。前面板には様々な欠陥が発生するが、両者を貼り合わせてから欠陥検査を行うと、前面板の不良により、高価な背面板の正常品をも廃棄するというロスが生じてしまう。したがって、前面板の部品段階での欠陥検査が強く望まれている。
【０００３】
しかし、前面板単体では、マイクロカプセルに電圧を印加するための電極が片側にしか無いため、マイクロカプセルの正常動作確認をすることができないという問題がある。この問題を解決するために、前面板の剥離フィルムに導電性フィルムが使用されている。すなわち、導電性フィルムを、背面板の代替品としての第２の電極とすることで、前面板と高価な背面板とを貼り合わせなくても、前面板の透明電極と導電性フィルムとの間に電圧を印加して、マイクロカプセル内の粒子を移動させることができる。
【０００４】
ところが、前面板の欠陥の中には、印加電圧に対する応答が正常部に比べて速かったり遅かったりする応答異常欠陥とでもいうべき欠陥がある。応答異常欠陥は、前面板の表示が全面黒、全面白といった飽和状態においてはほとんど見えないが、前面板の表示状態が変化している途中、もしくは中間色表示時では局所的なムラとして表れる。このような欠陥を検査装置で検出することは容易でないため、人間の目視による検査、つまり官能検査が行われている。しかし、人間の官能に依存する官能検査においては、検査員による判定結果のばらつきを回避することはできない。特に、応答異常欠陥は、印加電圧に対する応答性の差に由来する欠陥であり、応答異常欠陥部と正常部との輝度差は常に一定というわけではない。さらに、あるタイミングで見えたとしても正常部との輝度差は小さいという性質をもつ欠陥であるため、応答異常欠陥の官能検査は主観的な要素が大きく、判定ばらつきが生じやすい。
【０００５】
そこで、物理的・定量的な評価法を確立して検査精度・信頼性を向上させるため、官能検査の画像検査装置化を要求する声が高まっている。
【０００６】
しかし、従来の画像検査装置において、注目画素の輝度値と、画素群の輝度値の総和とに基づく発明は開示されているが（特許文献１参照）、輝度値差の少ないムラを検出するには充分ではない。
【０００７】
また、電気泳動型前面板の検査において、応答異常欠陥の検査装置に関する発明が開示されている（特許文献２参照）。ここには、応答異常欠陥検出の為に、パルス電圧を印加後、前面板の表示状態が全面黒、全面白といった飽和状態になる途中で電圧を０Ｖに戻し、遷移途中のグレーを表示して現れる応答異常欠陥を検査する装置の内容が記されている。
しかし電気泳動型前面板の種類や応答異常欠陥の種類によっては、欠陥を識別するために必要となる十分な輝度差を得ることができず、結果欠陥を検出できないという問題点があった。
【０００８】
さらに、電気泳動型前面板の検査において、応答異常欠陥の検査装置に関する別の発明が開示されている（特許文献３参照）。ここには、電気泳動型前面板の白から黒と、黒から白の表示切り替え中に、複数枚の画像を取込み、その画像を基に応答異常欠陥を検査する装置の内容が記されている。
【０００９】
しかし電気泳動型前面板の白から黒と、黒から白の切り替え速度が速い場合には、切り替え中に撮像できる画像の枚数や撮像するタイミングに制約を受ける。そのため周囲と駆動速度の異なる応答異常欠陥を輝度値の異なるタイミングで撮像できず、結果欠陥を検出できないという問題点があった。
【００１０】
特許文献は以下の通り。
【特許文献１】特開２００３−４２９３４号公報
【特許文献２】特開２００５−１８０２１号公報
【特許文献３】特開２００６−１７５７１号公報
【発明の開示】
【発明が解決しようとする課題】
【００１１】
本発明は上記の問題に鑑みなされたものであり、その課題とするところは応答異常欠陥の目立つ画像を表示、撮像し、撮像画像内において局所的なムラとして含まれる応答異常欠陥を高精度に抽出するための電気泳動型前面板検査装置および方法を提供することにある。
【課題を解決するための手段】
【００１２】
本発明はかかる問題点を解決すべくなされたものである。
（請求項１の発明）
請求項１の発明は、電気泳動型前面板の表示材料を駆動させる電気信号出力手段と、照明手段と、撮像画像を得る撮像手段と、前記撮像画像をディジタル化する画像ディジタル化手段と、前記画像入力手段によりディジタル化された画像を処理する画像処理手段と、前記画像処理手段に基づいて前記前面板の検査を行う演算処理手段と、前記撮像画像、前記画像処理手段による処理画像、前記演算処理手段による検査結果を出力するモニター表示手段と、を具備する電気泳動型前面板検査装置において、
前記撮像手段が、前記電気信号出力手段において、印加するパルス幅が表示材料の移動が飽和するパルス幅より十分に短いパルスを２回以上印加し、白表示から黒表示途中の遷移状態を表示保持した状態を撮像するものであることを特徴とする電気泳動型前面板検査装置を提供することで、前記課題を解消するものである。
（請求項２の発明）
請求項２の発明は、請求項１記載の画像処理手段が、注目画素から数ｍｍ〜数十ｍｍ離れた位置に存在し、かつこの注目画素を取り囲む複数の画素のうち、最大値と最小値を除いて前記複数の画素の輝度平均値を算出する処理を、全画素を順次注目画像として処理した画像を基準画像とし、前記基準画像と評価画像を差分演算することを特徴とする電気泳
動型前面板検査装置を提供することで、前記課題を解消するものである。
（請求項３の発明）
請求項３の発明は、電気泳動型前面板が、基板、電極、表示材料、接着剤、導電性剥離フィルムからなることを特徴とする請求項１または２記載の電気泳動型前面板検査装置を提供することで、前記課題を解消するものである。
（請求項４の発明）
請求項４の発明は、電気信号出力手段が、電気泳動型前面板の電極に電気的に接触する第１のプローブ、導電性剥離フィルムに電気的に接触する第２のプローブ、前記第１及び第２のプローブを介して電極と導電性剥離フィルムとの間に、表示材料を駆動させる電圧を印加する電圧供給手段からなることを特徴とする請求項３記載の電気泳動型前面板検査装置を提供することで、前記課題を解消するものである。
（請求項５の発明）
請求項５の発明は、電気泳動型前面板の表示材料を照明しながら駆動させて撮像して撮像画像を得るとともに、前記撮像画像をディジタル化して処理画像を得るとともに、前記処理画像の検査を行い検査結果を得て、前記撮像画像と前記処理画像、前記検査結果モニター表示する電気泳動型前面板検査方法において、
前記撮像が印加するパルス幅が表示材料の移動が飽和するパルス幅より十分に短いパルスを２回以上印加し、白表示から黒表示途中の遷移状態を表示保持した状態を撮像するものであることを特徴とする電気泳動型前面板検査方法を提供することで、前記課題を解消するものである。
（請求項６の発明）
請求項６の発明は、請求項５記載の画像処理が、注目画素から数ｍｍ〜数十ｍｍ離れた位置に存在し、かつこの注目画素を取り囲む複数の画素のうち、最大値と最小値を除いて前記複数の画素の輝度平均値を算出する方法を、全画素を順次注目画像として行って基準画像とし、前記基準画像と評価画像を差分演算することを特徴とする電気泳動型前面板検査方法を提供することで、前記課題を解消するものである。
【発明の効果】
【００１３】
図１１に特許文献２に基づく、白表示（図６駆動波形パターン３）後、黒表示となるパルス電圧を印加、飽和する半分のパルス幅で電圧を０Ｖに戻す駆動波形パターン（図６駆動波形パターン４）にてグレー表示した電気泳動型前面板の応答異常欠陥画像を示す。
【００１４】
次に本発明に基づき、白表示（図６駆動波形パターン３）後、黒表示となるパルス電圧を印加、飽和する半分のパルス幅を複数回の短いパルスとする駆動波形パターン（図６駆動波形パターン５）にてグレー表示した電気泳動型前面板の応答異常欠陥画像を図１２示す。
【００１５】
応答異常欠陥を横切る図１１のＸ−Ｘ‘線の輝度レベル（８１）と図１２のＹ−Ｙ’線の輝度レベル（８２）を図１７に示す。応答異常欠陥を検出するためのしきい値（８３）を１２０のレベルに設定すると、本発明の方法のみが、応答異常欠陥部分の輝度レベルを横切り、応答異常欠陥として層別し、検出できる。
【００１６】
前記のように請求項１から２の記載に係る電気泳動型前面板検査装置によれば、電気泳動型前面板の検査において、応答異常欠陥が目立つ駆動信号で前面板を駆動、撮像し、撮像画像を演算処理することで局所的なムラとして含まれる応答異常欠陥を作業者の習熟度や疲労度に頼ることなく高精度に検出することができる。
【発明を実施するための最良の形態】
【００１７】
次に本発明を図示の実施の形態に基づいて詳細に説明する。
【実施例】
【００１８】
（電気泳動型前面板）
まず、本発明の検査対象となる電気泳動型前面板について説明する。
【００１９】
（表示材料）
表示材料の核となる電気泳動マイクロカプセルは、テトラクロロエチレン溶媒に、溶液中で負に帯電するポリエチレン樹脂で表面被覆した平均粒径３μｍの酸化チタンと溶液中で正に帯電するアルキルトリメチルアンモニウムクロライド（Ｒ（ＣＨ3）3Ｎ+Ｃｌ-、Ｒはアルキル基）で表面処理した黒着色粒子（Ｐｉｇｍｅｎｔ  Ｂｌａｃｋ）（１３Ｂｋ）の各々の着色顔料とが分散された分散液を作成。
【００２０】
それぞれの分散液について、４０℃に調整された水にゼラチンと乳化剤としてドデシル硫酸ナトリウムを配合した水溶液と混合し、液温を４０℃に保ちながらホモジナイザーを用いて攪拌、Ｏ／Ｗ（水中油型（オイル・イン・ウォーター）エマルションを得る。
【００２１】
ついで、得られた各Ｏ／Ｗ（水中油型（オイル・イン・ウォーター）エマルションと４０℃に調整された水にアラビアゴムを配合した水溶液とをディスパーを用いて混合し、各溶液の液温を４０℃に保ちながら、酢酸を用いて溶液のｐＨを調整、コアセルベーションによりマイクロカプセル殻（１４）を形成した。さらに各液温を５℃に調整、ホルマリン溶液を加え水酸化ナトリウムを用いて溶液のｐＨを調整した。そして、攪拌しながら各液温を５０℃に調整することでマイクロカプセル殻を硬化させ、白色及び各色粒子がそれぞれ分散した分散液を封入したマイクロカプセルの径をふるい分けによりそれぞれ４０μｍ程度に揃える。（図１参照）
（電気泳動マイクロカプセル塗工液の作成）
得られた電気泳動型マイクロカプセルと、ポリウレタン樹脂溶液（ニッポラン５０３７、日本ポリウレタン工業社製）とを混合して、電気泳動マイクロカプセル塗工液を作成（図２参照）。
【００２２】
（基板）
透明絶縁基材は、ガラス、プラスチック（スチレン樹脂、セルロース、クレゾール樹脂、エポキシ樹脂、メラミン樹脂、ポリアミド、ポリカーボネイト、ポリエチレン、アクリル樹脂、フェノール樹脂、ポリイソブチレン、メタクリル樹脂、アセタール樹脂、ポリプロピレン、ポリスチレン、エチレン樹脂、ポリウレタン、ビニル樹脂、ポバール、ビニリデン樹脂、シリコーン樹脂、ユリア樹脂、ポリエステル樹脂、フッ素樹脂、シクロオレフィンポリマー）であるが、これらに限定されるものではない。
【００２３】
（電極）
透明導電性膜は、酸化スズ、酸化インジウム、酸化亜鉛、導電性ポリマーなどが使用できる。
【００２４】
透明導電性膜の形成は、蒸着、スパッタリング、電着、塗布、印刷など公知の手法により基材表面に形成される。
【００２５】
（接着剤）
ウレタン系接着剤であるが、これに限定されるものではない。
（導電性剥離フィルム）
フィルムの一方の面に、アルミニウム等の背面導電層を蒸着等の公知の方法により積層されたフィルム。
【００２６】
（電気泳動型前面板）
基板の上に電極を積層、その上に表示材料となる電気泳動マイクロカプセル塗工液を電極層の上にマイクロカプセルが１層に並ぶように塗工、さらに表示材料面と背面導電面を、接着剤を挟んでラミネートして貼り合せ、本発明の検査対象である電気泳動型前面板（図３）を形成する。
【００２７】
（請求項１に基づく実施例）
図４は本発明による応答異常欠陥検査のための電気泳動型前面板検査装置の構成図である。
【００２８】
同図において、パーソナル・コンピュータ（ＰＣ）（３６）の指示に基づく、電気信号発生装置（３１）を介する出力信号（以下、駆動波形）はプロービング装置（３２）を介して検査対象物である電気泳動型前面板（３３）に送られる。駆動波形を印加された前面板（３３）は、駆動波形パターンに応じて白黒と中間のグレーを表示する。カメラ（３４）は前面板（３３）の表示終了後、パーソナル・コンピューター（ＰＣ）（３６）の指示で前面板（３３）を撮像する。（３５）は画像入力装置でカメラ（３４）に接続されている。パーソナル・コンピューター（ＰＣ）（３６）の指示で撮像された画像は、画像入力装置（３５）を介して、パーソナル・コンピューター（ＰＣ）（３６）にディジタル画像として取込まれる。取込まれた画像は同じパーソナル・コンピューター（ＰＣ）（３６）により画像処理および演算処理のための計算を行う。（３７）はモニターで、カメラ（３４）で撮像した撮像画像および検査結果等を表示する。
図５は、本発明の実施の形態による電気泳動型前面板検査方法を示すフロー図である。本発明の実施の形態による検査方法は、電気泳動型前面板の白表示からグレー表示への駆動（５１）、被検査画像（撮像画像）の取り込みＡ（５２）、電気泳動型前面板の黒表示からグレー表示への駆動（５３）、被検査画像の取り込みＡ（５４）、画像処理（５５）、検査演算処理（５６）、および検査結果モニター表示（５７）という一連のステップによって行われる。以下、各ステップの内容をステップ順に説明する。
【００２９】
（検査画像取込み）（５１、５２、５３、５４）
プロービング装置（３３）に電気泳動型前面板を設置することで、前記電極と前記導電性フィルムの背面導電層に通電できる状態に接続される。
【００３０】
プロービング装置の一例を以下に示せば、前面板を検査装置の検査プレートの上に載置される。検査プレートは絶縁性の樹脂材料等で製作する。検査プレートにはスプリングを組み込んだ第１のプローブと第２のプローブが取り付けられている。前面板の上方より、ガラス板をエアーシリンダ、又は電動モータ駆動等により平行に下降させることで、第１のプローブと第２のプローブはそれぞれ前面板の前記電極と前記導電性フィルムに電気的にコンタクトする。
【００３１】
（駆動波形）
図７に示すグレー画像を表示するため、電気泳動型前面板を白表示するための駆動波形、前記白表示された後電気泳動前面板をグレーに表示する駆動波形、さらに図８に示すグレー画像を表示するため、電気泳動型前面板を黒表示するための駆動波形、前記黒表示された後電気泳動前面板をグレーに表示する駆動波形から構成される。
【００３２】
前記電気泳動型前面板を白表示するための駆動波形は、図６駆動波形パターン３に示すように白表示するためのパルス電圧を印加し、飽和した時点で０Ｖに戻す。
【００３３】
前記電気泳動型前面板を白表示後グレー表示するための駆動波形は、図６駆動波形パターン５に示すように黒表示となるパルス電圧で、飽和する半分のパルス幅を複数回の短いパルスとなるように印加し、０Ｖに戻す。
【００３４】
前記電気泳動型前面板を黒表示するための駆動波形は、図６駆動波形パターン１に示すように黒表示するためのパルス電圧を印加し、飽和した時点で０Ｖに戻す。
【００３５】
前記電気泳動型前面板を黒表示後グレー表示するための駆動波形は、図６駆動波形パターン６に示すように白表示となるパルス電圧で、飽和する半分のパルス幅を複数回の短いパルスとなるように印加し、０Ｖに戻す。
【００３６】
（表示と撮像の手順）
また応答異常欠陥は、周囲より駆動速度が速いものと遅いものが存在する。
白表示から黒方向にグレー表示した場合、図８（ａ）のイメージ図のように前面板に欠陥が表れる。図８（ｂ）は図８（ａ）の応答異常欠陥を横切るＳ−Ｓ‘線上の輝度レベルを表す。
【００３７】
さらに黒表示から白方向にグレー表示した場合、図７（ａ）のイメージ図のように前面板に欠陥が表れる。図７（ｂ）は図７（ａ）の応答異常欠陥を横切るＳ−Ｓ‘線上の輝度レベルを表す。
【００３８】
この２種類の前面板の表示状態を画像として取込む。
【００３９】
手順としては、始めにパーソナル・コンピューター（ＰＣ）（３６）の駆動波形（図６駆動波形パターン３）出力指示により、電気泳動型前面板を全黒表示した後、パーソナル・コンピューター（ＰＣ）（３６）の駆動波形（図６駆動波形パターン５）出力指示により、グレーを表示する。その後パーソナル・コンピューター（ＰＣ）（３６）の撮像指示で、カメラがディジタル画像Ａを撮像し、パーソナル・コンピューター（ＰＣ）（３６）にディジタル画像Ａを取込む。さらにパーソナル・コンピューター（ＰＣ）（３６）の駆動波形（図６駆動波形パターン１）出力指示により、電気泳動型前面板を全黒表示した後、パーソナル・コンピューター（ＰＣ）（３６）の駆動波形（図６駆動波形パターン６）出力指示により、グレーを表示する。その後パーソナル・コンピューター（ＰＣ）（３６）の撮像指示で、カメラがディジタル画像Ｂを撮像し、パーソナル・コンピューター（ＰＣ）（３６）にディジタル画像Ｂを取込む。
【００４０】
（画像処理）（５５）
パーソナル・コンピューター（ＰＣ）（３６）に画像取込み終了後、ディジタル画像Ａの各画素の輝度値（以下、Ａ（ｉ，ｊ）と記す）とディジタル画像Ｂの各画素の輝度値（以下、Ｂ（ｉ，ｊ）と記す）の差分演算を行なう。その結果得られる画像Ａと画像Ｂの各画素の差分結果（以下、Ｃ（ｉ，ｊ）と記す）は、Ｃ（ｉ，ｊ）＝Ａ（ｉ，ｊ）−Ｂ（ｉ，ｊ）で表される。前記画像の差を演算することで、図９に示すように欠陥部分がより強調され、応答異常欠陥をはっきりと識別できる。
【００４１】
（検査演算処理）（５６）
（２値化処理）
画像処理（５５）で得られた差分結果Ｃ（ｉ，ｊ）（横軸をディジタル画像Ａとディジタル画像Ｂの差）を、縦軸に画素数、横軸に差分値とすると、図１０に示すようなヒストグラムで表される。
【００４２】
この図１０の中に示すように、周囲より速い応答異常欠陥をしきい値α１で、また周囲より遅い応答異常欠陥をしきい値α２で２値化し、α１についてはＤ（ｉ，ｊ）＝１（但し、Ｃ（ｉ，ｊ）＜α１の場合）、Ｄ（ｉ，ｊ）＝０（但し、Ｃ（ｉ，ｊ）≧α１の場合）、
α２についてはＥ（ｉ，ｊ）＝１（但し、Ｃ（ｉ，ｊ）＞α２の場合）、Ｅ（ｉ，ｊ）＝０（但し、Ｃ（ｉ，ｊ）≦α２の場合）とする処理により２値化データ（以下、Ｄ（ｉ，ｊ）、Ｅ（ｉ，ｊ））とする。（α１＜α２）
（ラベリング処理）
２値化処理で抽出された周囲より速い応答異常欠陥画像Ｄ（ｉ，ｊ）と周囲より遅い応答異常欠陥画像Ｅ（ｉ，ｊ）に対して検出欠陥ブロックごとにラベリングされ、その面積、座標位置、縦幅、横幅等の定量値が算出される。
【００４３】
（良否判定）
ラベリング処理で算出された定量値に基づき、披検査対象の良否判定が行われる。
【００４４】
（モニター表示）（５７）
前記良否判定結果はモニター（１７）に表示される。
【００４５】
以上説明したように、本発明の実施の形態によれば、電気泳動型前面板に表れる応答速度異常を、図６の駆動波形パターン５あるいは６のような短いパルス幅の波形を複数回繰繰り返す電気泳動型前面板駆動方法において、応答異常欠陥の応答差を累積させて表示させ、検査演算処理することで、よりはっきりと応答異常欠陥を検出することができる。
【００４６】
（請求項２に基づく実施例）
請求項１に基づく実施例のうち、画像処理（５７）が、以下の演算を行なうものであっても良い。
前記電気泳動型前面板の駆動とその後の撮像に基づき、画像処理に必要なディジタル画像Ａとディジタル画像Ｂをパーソナル・コンピューター（ＰＣ）３６に取込み終了後、ディジタル画像Ａ（Ａ（ｉ，ｊ））とディジタル画像Ｂ（Ｂ（ｉ，ｊ））の差分演算を行なう。
差分結果ディジタルデータＣ（ｉ，ｊ）＝Ａ（ｉ，ｊ）―Ｂ（ｉ，ｊ）
次に図１３に示すプロセスでさらに演算を行なう。その内容を順に説明する。
図１４に示すように注目画素（６１）から数ｍｍ〜数十ｍｍ離れ、画素数ではｎ画素に相当する画素群（６２）から最大値と最小値を抜き、残りの画素の平均値を演算する。
【００４７】
ｎ画素離れた画素群（６２）は、図１４に示すように注目画素を取り囲む全ての画素が対象でなくてもよい。
【００４８】
４画素を対象とする場合を図１５に示す。また８画素を対象とする場合を図１６に示す。
【００４９】
全画素を注目画素として演算し得られる結果（以下、Ｆ（ｉ，ｊ））とする。
【００５０】
前記差分結果Ｃ（ｉ，ｊ）と前記注目画素近傍の画素から演算し得られる結果Ｆ（ｉ，ｊ）の差分データとを差分演算し、検査演算処理（５６）で使用する差分結果を新たな差分結果と差し替え、Ｃ（ｉ，ｊ）＝Ｃ（ｉ，ｊ）―Ｆ（ｉ，ｊ）とする。
【００５１】
以上説明したように、本発明の実施の形態によれば、注目画素から数ｍｍ〜数十ｍｍ離れ画素群との差分値を、検査演算処理をするための基準画像とすることで、シート内にグラデーションのような緩やかな輝度値の違いがあり、その両端部において大きな差が生じている場合においても、局所的に存在する応答異常欠陥を検出することができる。
【図面の簡単な説明】
【００５２】
【図１】本発明の検査対象となる表示材料マイクロカプセルに係る図である。
【図２】本発明の検査対象となる表示材料塗工液に係る図である。
【図３】本発明の検査対象となる電気泳動型前面板の図である。
【図４】本発明の装置構成図である。
【図５】本発明の検査方法手順を示すフロー図である。
【図６】本発明に係る駆動波形パターン図である。
【図７】本発明に係る電気泳動前面板を白からグレー表示した場合の応答異常欠陥の輝度模式図である。
【図８】本発明に係る電気泳動前面板を黒からグレー表示した場合の応答異常欠陥の輝度模式図である。
【図９】本発明に係る差分演算結果を示す図である。
【図１０】本発明に係る検査演算処理に関する図である。
【図１１】特許文献２に記載の駆動波形による応答異常欠陥の画像である。
【図１２】本発明の駆動波形による応答異常欠陥の撮像画像である。
【図１３】本発明の画像処理方法手順を示すフロー図である。
【図１４】本発明に係る画像処理の方法を説明する図である。
【図１５】本発明に係る画像処理の方法を説明する図である。
【図１６】本発明に係る画像処理の方法を説明する図である。
【図１７】本発明に係る駆動波形別、応答異常欠陥輝度分布図である。
【符号の説明】
【００５３】
４…電気泳動マイクロカプセル
１２…白色粒子
１３…黒着色粒子
２０…バインダー溶液
３１…電気信号発生装置
３２…プロービング装置
３３…電気泳動型前面板
３４…カメラ
３５…画像入力装置
３６…パーソナルコンピュータ
３７…モニター
６１…注目画素
６２…注目画素からｎ画素離れた画素群
８１…特許文献２に基づく前面板駆動方法による応答異常欠陥の輝度レベル
８２…本発明に基づく前面板駆動方法による応答異常欠陥の輝度レベル
８３…応答異常欠陥検出の為のしきい値
【図１】
2009236856.tif 000003
【図２】
2009236856.tif 000004
【図３】
2009236856.tif 000005
【図５】
2009236856.tif 000006
【図６】
2009236856.tif 000007
【図９】
2009236856.tif 000008
【図１３】
2009236856.tif 000009
【図１４】
2009236856.tif 000010
【図１５】
2009236856.tif 000011
【図１６】
2009236856.tif 000012
【図４】
2009236856.tif 000013
【図７】
2009236856.tif 000014
【図８】
2009236856.tif 000015
【図１０】
2009236856.tif 000016
【図１１】
2009236856.tif 000017
【図１２】
2009236856.tif 000018
【図１７】
2009236856.tif 000019